(57)【要約】【課題】端末本体内のデータを他の携帯端末装置へ迅速且つ手軽にコピーしうる携帯端末装置及びデータコピー方法を提供する。【解決手段】携帯端末装置１は、端末本体２とスタイラス３とを備えた構成をなし、スタイラス３には、ＲＦＩＤタグ３ｂが内蔵されている。携帯端末装置１から他の携帯端末装置にデータをコピーするときには、コピー元の端末本体２により、ＲＦＩＤタグ３ｂに対して端末本体２の固有情報とデータ特定情報とが書き込まれ、スタイラス３内に、コピー先の他の携帯端末装置に与えるべき情報（端末本体２の固有情報及びデータ特定情報）が記憶される。このように構成されているため、他の携帯端末装置がスタイラス３から固有情報及びデータ特定情報を取得できるようになり、ひいては他の携帯端末装置が携帯端末装置１にアクセスしてコピー対象データを特定し、コピーすることが可能となる。【選択図】図１
2010081300.tif 000002
【特許請求の範囲】
【請求項１】
タッチパネルを有する表示器と、無線タグに対する読み取り及び書き込みを行うリーダライタと、他の携帯端末装置と無線通信を行う無線通信手段と、を備えた端末本体と、
前記タッチパネルを操作するスタイラスと、
を備えた携帯端末装置であって、
前記スタイラスには、無線タグが設けられており、
前記端末本体は、
前記無線タグを備えた前記スタイラスを検出するスタイラス検出手段を備えると共に、
前記スタイラス検出手段によって検出された前記スタイラスの前記無線タグに対し、前記リーダライタにより、コピー元となる当該端末本体の固有情報と、当該端末本体に記憶されるコピー対象データを特定するデータ特定情報と、を書き込む構成をなしており、
前記スタイラスの前記無線タグ内に、コピー先の前記他の携帯端末装置に与えるべき前記端末本体の前記固有情報及び前記データ特定情報が記憶されることを特徴とする携帯端末装置。
【請求項２】
前記端末本体は、
当該端末本体の前記固有情報及び前記データ特定情報を取得した前記他の携帯端末装置からのコピー要求を、前記無線通信手段を介して取得すると共に、前記コピー要求と対応付けて前記他の携帯端末装置から送られる前記データ特定情報に基づき、当該データ特定情報に対応する前記コピー対象データを検索し、かつ前記コピー対象データを前記他の携帯端末装置に対して出力するデータ出力制御手段を有することを特徴とする請求項１に記載の携帯端末装置。
【請求項３】
前記スタイラスを用いたコピーを行うか否かを選択させる選択情報を前記表示器に表示させる表示制御手段を備え、
前記リーダライタは、前記表示器における前記選択情報の表示に応じ、前記スタイラスを用いたコピーを行うことが前記無線タグを備えた前記スタイラスにより前記タッチパネルにて選択された場合に、前記端末本体の前記固有情報及び前記データ特定情報を、当該スタイラスの前記無線タグに対して記憶することを特徴とする請求項１又は請求項２に記載の携帯端末装置。
【請求項４】
前記表示制御手段は、前記スタイラス検出手段によって前記無線タグを備えた前記スタイラスが検出された場合にのみ前記選択情報を前記表示器に表示させることを特徴とする請求項３に記載の携帯端末装置。
【請求項５】
前記データ特定情報は、前記コピー対象データのファイル名情報と、前記コピー対象データにアクセスするためのパス情報と、を少なくとも含むことを特徴とする請求項１から請求項４のいずれか一項に記載の携帯端末装置。
【請求項６】
前記スタイラスが前記タッチパネルに接触しているか否かを検出する接触検出手段を有し
前記リーダライタは、前記スタイラスが前記タッチパネルに接触している間のみ当該スタイラスの前記無線タグに対して書き込み動作を行うことを特徴とする請求項１から請求項５のいずれか一項に記載の携帯端末装置。
【請求項７】
タッチパネルを有する表示器と、無線タグに対する読み取り及び書き込みを行うリーダライタと、無線通信手段と、を備えた複数の携帯端末装置と、前記タッチパネルを操作するスタイラスとを用いて、いずれか一の携帯端末装置から他の携帯端末装置にデータをコピーするデータコピー方法であって、
前記スタイラスには、無線タグが設けられており、
コピー元となる前記一の携帯端末装置において前記無線タグを備えた前記スタイラスを検出する検出ステップと、
前記検出ステップによって検出された前記スタイラスの前記無線タグに対し、コピー元となる前記一の携帯端末装置の前記リーダライタにより、当該一の携帯端末装置の固有情報と、当該一の携帯端末装置に記憶されるコピー対象データを特定するデータ特定情報と、を書き込む書込ステップと、
前記書込ステップにより前記スタイラスの前記無線タグに記憶された前記一の携帯端末装置の前記固有情報及び前記データ特定情報を、コピー先となる前記他の携帯端末装置の前記リーダライタによって読み取る読取ステップと、
前記読取ステップにて取得された前記一の携帯端末装置の前記固有情報に基づき、前記他の携帯端末装置において無線通信相手となる前記一の携帯端末装置を特定すると共に、前記他の携帯端末装置から前記一の携帯端末装置に対し、当該他の携帯端末装置が取得した前記データ特定情報にて特定される前記コピー対象データの送信を要求する要求ステップと、
前記要求ステップによる要求に応じ、前記一の携帯端末装置において前記データ特定情報に対応する前記コピー対象データを検索し、かつ当該コピー対象データを前記他の携帯端末装置に対して出力するデータ出力ステップと、
前記データ出力ステップにて出力された前記コピー対象データを、前記他の携帯端末装置において記憶する記憶ステップと、
を有することを特徴とするデータコピー方法。
【発明の詳細な説明】
【技術分野】
【０００１】
本発明は、携帯端末装置、及び複数の携帯端末装置間でデータをコピーするデータコピー方法に関するものである。
【背景技術】
【０００２】
従来より、情報処理機能を有する携帯型の端末装置（携帯端末装置）が様々に提供されている。この種の携帯端末装置は、外部装置との通信が必要となる場合が多く、例えば、携帯型のバーコードハンディターミナルでは、装置内に記憶される読み取りデータ等を外部装置（ホストコンピュータ等）に送信する必要が生じうる。このような要請に応えるべく、現在では、様々な通信方式が採用されており、例えば、無線ＬＡＮ等を用いた無線通信方式によれば、通信ケーブル等のハードウェアが不要となるといった様々なメリットが得られる。
【特許文献１】特開２００３−９９１８４
【発明の開示】
【発明が解決しようとする課題】
【０００３】
一方、上記のように無線ＬＡＮ等の無線通信方式を用いた場合、必要なファイルを他の携帯端末装置に迅速に、或いは手軽にコピーしにくいという問題がある。例えば、無線ＬＡＮで接続される環境下においてＦＴＰ（File Transfer Protocol）を用いてファイルをコピーする場合、一般的に様々な手順を踏む必要がある。その一例としては、（１）無線通信をオープンする、（２）接続するアクセスポイントを選択する、（３）認証方式に合わせて必要なパラメータを設定する、（４）アクセスポイントと接続する、（５）ＦＴＰクライアントプログラムを起動する、（６）接続するＦＴＰサーバのＩＰアドレス、ログインユーザ名、パスワード等の情報を入力してＦＴＰサーバにログインする、（７）ＦＴＰサーバからファイルを取得する、等の手順が考えられる。
【０００４】
従来では、これら手順の大部分を手動操作によって行っていたが、操作が多く煩雑であるため、ユーザの負担が大きく、処理迅速化が難しいという問題があった。また、これらの手順をプログラムによって自動化することも考えられるが、設定すべきパラメータが多いため、自動化が難しいという問題もあった。
【０００５】
本発明は、上述した課題を解決するためになされたものであり、端末本体内のデータを他の携帯端末装置へ迅速且つ手軽にコピーしうる携帯端末装置及びデータコピー方法を提供することを目的とする。
【課題を解決するための手段】
【０００６】
請求項１の発明は、タッチパネルを有する表示器と、無線タグに対する読み取り及び書き込みを行うリーダライタと、他の携帯端末装置と無線通信を行う無線通信手段と、を備えた端末本体と、前記タッチパネルを操作するスタイラスと、を備えた携帯端末装置であって、前記スタイラスには、無線タグが設けられており、前記端末本体は、前記無線タグを備えた前記スタイラスを検出するスタイラス検出手段を備えると共に、前記スタイラス検出手段によって検出された前記スタイラスの前記無線タグに対し、前記リーダライタにより、コピー元となる当該端末本体の固有情報と、当該端末本体に記憶されるコピー対象データを特定するデータ特定情報と、を書き込む構成をなしており、前記スタイラスの前記無線タグ内に、コピー先の前記他の携帯端末装置に与えるべき前記端末本体の前記固有情報及び前記データ特定情報が記憶されることを特徴とする。
【０００７】
請求項２の発明は、請求項１に記載の携帯端末装置において、前記端末本体は、当該端末本体の前記固有情報及び前記データ特定情報を取得した前記他の携帯端末装置からのコピー要求を、前記無線通信手段を介して取得すると共に、前記コピー要求と対応付けて前記他の携帯端末装置から送られる前記データ特定情報に基づき、当該データ特定情報に対応する前記コピー対象データを検索し、かつ前記コピー対象データを前記他の携帯端末装置に対して出力するデータ出力制御手段を有することを特徴とする。
【０００８】
請求項３の発明は、請求項１又は請求項２に記載の携帯端末装置において、前記スタイラスを用いたコピーを行うか否かを選択させる選択情報を前記表示器に表示させる表示制御手段を備え、前記リーダライタは、前記表示器における前記選択情報の表示に応じ、前記スタイラスを用いたコピーを行うことが前記無線タグを備えた前記スタイラスにより前記タッチパネルにて選択された場合に、前記端末本体の前記固有情報及び前記データ特定情報を、当該スタイラスの前記無線タグに対して記憶することを特徴とする。
【０００９】
請求項４の発明は、請求項３に記載の携帯端末装置において、前記表示制御手段は、前記スタイラス検出手段によって前記無線タグを備えた前記スタイラスが検出された場合にのみ前記選択情報を前記表示器に表示させることを特徴とする。
【００１０】
請求項５の発明は、請求項１から請求項４のいずれか一項に記載の携帯端末装置において、前記データ特定情報は、前記コピー対象データのファイル名情報と、前記コピー対象データにアクセスするためのパス情報と、を少なくとも含むことを特徴とする。
【００１１】
請求項６の発明は、請求項１から請求項５のいずれか一項に記載の携帯端末装置において、前記スタイラスが前記タッチパネルに接触しているか否かを検出する接触検出手段を有し、前記リーダライタは、前記スタイラスが前記タッチパネルに接触している間のみ当該スタイラスの前記無線タグに対して書き込み動作を行うことを特徴とする。
【００１２】
請求項７の発明は、タッチパネルを有する表示器と、無線タグに対する読み取り及び書き込みを行うリーダライタと、無線通信手段と、を備えた複数の携帯端末装置と、前記タッチパネルを操作するスタイラスとを用いて、いずれか一の携帯端末装置から他の携帯端末装置にデータをコピーするデータコピー方法であって、前記スタイラスには、無線タグが設けられており、コピー元となる前記一の携帯端末装置において前記無線タグを備えた前記スタイラスを検出する検出ステップと、前記検出ステップによって検出された前記スタイラスの前記無線タグに対し、コピー元となる前記一の携帯端末装置の前記リーダライタにより、当該一の携帯端末装置の固有情報と、当該一の携帯端末装置に記憶されるコピー対象データを特定するデータ特定情報と、を書き込む書込ステップと、前記書込ステップにより前記スタイラスの前記無線タグに記憶された前記一の携帯端末装置の前記固有情報及び前記データ特定情報を、コピー先となる前記他の携帯端末装置の前記リーダライタによって読み取る読取ステップと、前記読取ステップにて取得された前記一の携帯端末装置の前記固有情報に基づき、前記他の携帯端末装置において無線通信相手となる前記一の携帯端末装置を特定すると共に、前記他の携帯端末装置から前記一の携帯端末装置に対し、当該他の携帯端末装置が取得した前記データ特定情報にて特定される前記コピー対象データの送信を要求する要求ステップと、前記要求ステップによる要求に応じ、前記一の携帯端末装置において前記データ特定情報に対応する前記コピー対象データを検索し、かつ当該コピー対象データを前記他の携帯端末装置に対して出力するデータ出力ステップと、
前記データ出力ステップにて出力された前記コピー対象データを、前記他の携帯端末装置において記憶する記憶ステップと、を有することを特徴とする。
【発明の効果】
【００１３】
請求項１の発明によれば、端末本体がスタイラスを迅速に検出でき、当該スタイラス内に必要なデータを良好に記録できるようになる。更に、スタイラスの無線タグ内には、コピー先の他の携帯端末装置に与えるべき情報として、端末本体の固有情報、及びデータ特定情報が記憶されるため、他の携帯端末装置は、スタイラスを介してこれら情報（端末本体の固有情報及びデータ特定情報）を取得できるようになる。即ち、複雑な入力操作を数多く行わずとも他の携帯端末装置においてコピー元の端末本体及び当該端末本体に記憶されるコピー対象データを特定できるようになり、ひいては、端末本体内の特定データ（データ特定情報によって特定されるコピー対象データ）を他の携帯端末装置へ迅速且つ手軽にコピーできるようになる。
【００１４】
請求項２の発明は、コピー要求と対応付けて他の携帯端末装置から送られるデータ特定情報に基づき、当該データ特定情報に対応するコピー対象データを検索し、かつコピー対象データを他の携帯端末装置に対して出力している。このようにすると、他の携帯端末装置からの要求に応じてコピー対象データを的確に特定し、当該コピー対象データを他の携帯端末装置に対して良好にコピーできる。また、スタイラスには、固有情報とデータ特定情報とが記憶され、コピー対象データについてはスタイラスに記憶せずに無線通信手段によって他の携帯端末装置に直接送信しているため、コピー対象データのデータ量が大きい場合、或いはスタイラスの無線タグの容量が小さい場合であってもコピー対象データを他の携帯端末装置に良好にコピーできる。
【００１５】
請求項３の発明は、選択情報（スタイラスを用いたコピーを行うか否かを選択させる情報）を表示器に表示する構成をなしており、このようにすれば、使用者がスタイラスを用いたコピーを行うか否かを自由に選択できる。また、「スタイラスを用いたコピー」が無線タグを備えたスタイラスによりタッチパネルにて選択された場合に、端末本体の固有情報及びデータ特定情報を、当該スタイラスの無線タグに対して記憶している。このようにすると、「スタイラスを用いたコピー」が選択された場合に、タッチパネル付近にあるスタイラスに対して固有情報及びデータ特定情報を迅速且つ良好に記憶できるようになる。
【００１６】
請求項４の発明は、スタイラス検出手段によって無線タグを備えたスタイラスが検出された場合にのみ選択情報を表示器に表示するように構成されている。このようにすると、スタイラスが検出されない場合（即ち、スタイラスを用いたコピーを行うことができない場合）に、「スタイラスを用いたコピー」が選択不能となるため、完遂不能な処理の一部が実行されるといった無駄を効果的に防止できる。
【００１７】
請求項５の発明は、データ特定情報においてコピー対象データのファイル名情報とコピー対象データにアクセスするためのパス情報とが含まれているため、他の携帯端末装置からデータ特定情報を受け取ったときに、パス情報とファイル名情報とに基づいてコピー対象データを迅速かつ正確に特定できる。
【００１８】
請求項６の発明は、スタイラスがタッチパネルに接触しているか否かを検出する接触検出手段を有し、スタイラスがタッチパネルに接触している間のみ当該スタイラスの無線タグに対して書き込み動作を行うように構成されている。このようにすると、スタイラスが接触しているときに書き込み動作を安定的に行うことができる。
【００１９】
請求項７の発明によれば、請求項１と同様の効果を奏するデータコピー方法を実現できる。
【発明を実施するための最良の形態】
【００２０】
[第１実施形態]
以下、本発明の携帯端末装置を具現化した第１実施形態について、図面を参照して説明する。
図１は、第１実施形態に係る携帯端末装置を概略的に例示する外観図である。図２は、図１の携帯端末装置の電気的構成を概略的に例示するブロック図である。図３は、図２におけるＲＦＩＤ制御部等を概略的に例示するブロック図である。図４は、図１の携帯端末装置から他の携帯端末装置にファイルをコピーする様子を説明する説明図である。図５は、図１の携帯端末装置で行われる書き込み処理を例示するフローチャートである。図６は、他の携帯端末装置で行われるファイル取得処理を例示するフローチャートである。図７は、図５の書き込み処理が行われているときの表示画面を例示する説明図である。図８は、図６のファイル取得処理が行われているときの表示画面を例示する説明図である。
【００２１】
まず、図１、図２を参照して全体的構成について説明する。
図１に示すように、本実施形態に係る携帯端末装置１は、端末本体２と、スタイラス３とによって構成されている。端末本体２は、例えばＩＣカードやその他のＲＦＩＤタグと非接触通信を行う携帯型のＲＦＩＤタグリーダライタとして構成されており、ＲＦＩＤタグ（無線タグ）に対する読み取り及び書き込みを行う構成をなしている。一方、スタイラス３は、端末本体２に設けられたタッチパネル６ａを操作するものであり、棒状部材３ａ（例えば樹脂製の棒状の部材）の内部にＲＦＩＤタグ３ｂ（無線タグ）が内蔵された構成をなしている。
【００２２】
図２に示すように、端末本体２には、全体的制御を司るＣＰＵ５が設けられ、更に、タッチパネル付き表示器６、キー入力部７、無線ＬＡＮ制御部８、ＲＦＩＤ制御部２０、メモリ９、バッテリ１０、画像認識制御部１１などが設けられている。
【００２３】
タッチパネル付き表示器６は、「表示器」の一例に相当するものであり、端末本体２において外部に露出するように配されるタッチパネル６ａと、このタッチパネル６ａと重なるように配される液晶表示器６ｂとを備えた構成をなしている。タッチパネル６ａは、液晶表示器６ｂの表示画面を被覆するように配されると共に、図１のように当該表示画面に対応する操作エリアＡＲが構成され、この操作エリアＡＲがスタイラス３によって操作されたときに当該操作に応じた情報をＣＰＵ５に入力する。
【００２４】
キー入力部７は、図１のように外部に露出する複数の操作キー７ａを備えており、操作キー７ａの操作に応じた情報をＣＰＵ５に入力する。
無線ＬＡＮ制御部８は、公知の無線ＬＡＮに接続するインターフェースとして構成されている。なお、この無線ＬＡＮ制御部８は「無線通信手段」の一例に相当するものであり、後述する他の携帯端末装置１００と無線通信を行うように機能する。
メモリ９は、ＲＯＭ、ＲＡＭ等の記憶手段によって構成されており、各種情報を記憶する構成をなしている。
バッテリ１０は、所定の直流電圧を発生可能な２次電池（例えばリチウムイオン電池等）によって構成されており、端末本体２内の各種電気部品に電力を供給している。
画像認識制御部１１は、ＣＰＵ５と協働してコードリーダとして機能する部分であり、バーコード、二次元コード等の光学的情報を撮像し、その撮像された光学的情報を読み取る構成をなしている。
【００２５】
次に、ＲＦＩＤリーダライタとして機能する部分について説明する。
本実施形態に係る情報端末装置１は、ＣＰＵ５、ＲＦＩＤ制御部２０、アンテナ４０、メモリ９がＲＦＩＤタグ３ｂに対して読み書きを行うＲＦＩＤリーダライタとして機能している。
【００２６】
ＲＦＩＤ制御部２０は、図３に示すように、送信側を構成する回路として、キャリア発振器２１、増幅器２４、送信部フィルタ２５、符号化部２２、変調部２３、整合回路２６などが設けられている。また、受信側には、受信部フィルタ２７、増幅器２８、復調部２９、二値化処理部３０、複号化部３１が設けられている。
【００２７】
符号化部２２は、ＣＰＵ５から送信データを受ける構成をなしており、当該ＣＰＵ５より出力される送信データを符号化して変調部２３に出力する構成をなしている。変調部２３は、キャリア発振器２１より出力される例えば周波数９５３ＭＨｚのキャリア（搬送波）に対し、通信対象へのコマンド送信時に符号化部２２より出力される符号化された送信符号（変調信号）によってＡＳＫ（Amplitude Shift Keying）変調された被変調信号を生成し、増幅器２４に出力する。なお、キャリア発振器２１の発振動作の動作／停止は、ＣＰＵ５によって制御されるようになっている。
【００２８】
増幅器２４は、入力信号（変調部２３によって変調された被変調信号）を所定のゲインで増幅する構成をなしており、その増幅信号を送信部フィルタ２５に出力する。送信部フィルタ２５は、フィルタリングした送信信号を、整合回路２６を介してアンテナ４０に出力する。このようにしてアンテナ４０に送信信号が出力されると、その送信信号が電磁波として当該アンテナ４０より外部に放射される。
【００２９】
一方、アンテナ４０を介して受信された信号は受信部フィルタ２７によってフィルタリングされた後、増幅器２８によって増幅され、復調部２９に与えられて復調される。その復調された信号波形は二値化処理部３０において二値化され、その後、復号化部３１において復号化される。そして、復号化された受信データはＣＰＵ５に出力される。
【００３０】
次に、上記携帯端末装置１を用いて行われるファイルコピー方法について説明する。
図４では、携帯端末装置１から他の携帯端末装置１００にファイルをコピーするときの様子を概略的に説明している。本実施形態では、端末本体２により、スタイラス３のＲＦＩＤタグ３ｂに対し、コピー先の他の携帯端末装置１００に与えるべき情報を書き込む構成をなしている。具体的には、コピー元となる当該端末本体２の固有情報と、当該端末本体２に記憶されるコピー対象データを特定するデータ特定情報とをＲＦＩＤタグ３ｂ書き込んでいる。一方、他の携帯端末装置１００は、スタイラス３に内蔵されたＲＦＩＤタグ３ｂからこれら固有情報及びデータ特定情報を取得し、この情報に基づき、無線ＬＡＮを介して携帯端末装置１にアクセスし、ＦＴＰ（File Transfer Protocol）によってデータ特定情報によって特定されるデータ（コピー対象データ）を取得するように構成されている。以下、これら処理の具体的内容を説明する。
【００３１】
まず、図５を参照し、携帯端末装置１で行われる書き込み処理について説明する。図５の書き込み処理は、電源投入或いは端末本体２に対して所定操作が行われたときにＣＰＵ５により実行される処理であり、当該処理が開始されると、まず、ファイルコピーを指示する操作を待つ待機処理が行われる（Ｓ１）。なお、本実施形態の携帯端末装置１は、ＯＳとしてＷｉｎｄｏｗｓ（登録商標）ＣＥが搭載されており、図７のように、コピー対象のファイルが存在するフォルダにおいて「Ｅｄｉｔ」コマンド５１が選択されたときに、サブメニュー（コマンド選択メニュー５２）が表示されるようになっており、このコマンド選択メニュー５２内の特定コマンド（「ｃｏｐｙ」コマンド５２ａ）が選択された場合にファイルコピーを指示する操作があったと判断している。従って、この場合にはＳ１にてＹｅｓに進み、Ｓ２以降の処理が行われる。なお、ファイルコピー指示する操作はこれに限られず、例えば、コピーするファイルをスタイラス３によって長押しする操作であってもよく、この場合にもＳ２以降の処理が行われる。
【００３２】
コマンド選択メニュー５２において「ｃｏｐｙ」コマンド５２ａが選択されたとき、或いはコピーするファイルがスタイラス３によって長押しされたときには、まず、スタイラス３を検出する処理が行われる（Ｓ２）。Ｓ２の処理は「検出ステップ」の一例に相当するものであり、この処理では、「リーダライタ」として機能するＣＰＵ５、ＲＦＩＤ制御部２０、アンテナ４０、メモリ９により、ＲＦＩＤタグ３ｂを備えたスタイラス３が端末本体２付近に存在するか否かの検出がなされる。Ｓ２の処理においてスタイラス３が検出されたときには（Ｓ３：Ｙｅｓ）、コピー先選択メニュー５３の表示が行われる（Ｓ４）。Ｓ４の処理では、図７のようにスタイラスを含んだ複数のコピー先が表示され、ユーザはスタイラス３によっていずれかのコピー先を選択できるようになっている。
【００３３】
一方、スタイラス３が検出されない場合には（Ｓ３：Ｎｏ）、通常のファイルコピー処理（クリップボードにファイルをコピーする処理）が行われる（Ｓ１１）。
なお、「リーダライタ」として機能するＣＰＵ５、ＲＦＩＤ制御部２０、アンテナ４０、メモリ９が、「スタイラス検出手段」の一例に相当し、ＲＦＩＤタグ３ｂ（無線タグ）を備えたスタイラス３を検出するように機能する。
【００３４】
Ｓ４の処理の後には、どのコピー先が選択されたかを判断する処理が行われる（Ｓ５）。Ｓ４のメニュー表示においてスタイラス以外が選択された場合（図７の例では、クリップボードコマンドが選択された場合）にはＳ５からＳ１１に進み、上述した通常のファイルコピー処理を行う（Ｓ１１）。一方、Ｓ４のメニュー表示においてスタイラスコマンド５３ａが選択された場合にはＳ５からＳ６に進む。
【００３５】
Ｓ６では、スタイラス３がタッチパネル６ａに触れているか否かを判断する処理が行われる。スタイラスコマンド５３ａ選択後において依然としてスタイラス３がタッチパネル６ａに触れている場合にはＳ６にてＹｅｓに進み、スタイラス３がタッチパネル６ａに触れていない場合にはＳ６にてＮｏに進む。Ｓ６にてＮｏに進む場合には、リセット状態となりＳ１に戻る。なお、Ｓ６の判断処理は、スタイラス３が一定時間以上タッチパネル６ａから離れた場合にＳ６にてＮｏに進むようにしてもよく、スタイラス３が一定時間以上タッチパネル６ａに接触している場合にＳ６にてＹｅｓに進む（即ち、スタイラス３が一定時間経過前にタッチパネル６ａから離れた場合にＮｏに進む）ようにしてもよい。或いは、時間に関係なく、スタイラス３とタッチパネル６ａとが非接触状態となったときにＳ６にてＮｏに進むようにしてもよい。
【００３６】
Ｓ６にてＹｅｓに進む場合、スタイラス３に固有情報とデータ特定情報とを書き込む処理が行われる（Ｓ７）。Ｓ７の処理は、「書き込みステップ」の一例に相当するものである。この「書き込みステップ」は、上述したようにＳ４において「スタイラスを用いたコピー」がタッチパネル６ａにて選択された場合に実行されるものであり、Ｓ２（検出ステップ）にて検出されたスタイラス３のＲＦＩＤタグ３ｂに対し、リーダライタとして機能するＣＰＵ５、ＲＦＩＤ制御部２０、アンテナ４０、メモリ９により、携帯端末装置１の固有情報及び携帯端末装置１に記憶されるコピー対象データを特定するデータ特定情報が書き込まれるようになっている。
【００３７】
本実施形態では、コピー対象データのファイル名情報と、コピー対象データにアクセスするためのパス情報とによってデータ特定情報が構成されており、例えばコピー対象データのファイル名が「ＡＡＡ」であり、この「ＡＡＡ」が存在するフォルダ「ｄｄｄ」のパスが「\\ｂｂｂ\ｃｃｃ\ｄｄｄ」である場合には、これら「ＡＡＡ」及び「\\ｂｂｂ\ｃｃｃ\ｄｄｄ」がＲＦＩＤタグ３ｄに書き込まれる。
【００３８】
また、携帯端末装置１の固有情報としては、例えば端末本体２をＦＴＰサーバとして使用する場合の当該ＦＴＰサーバを特定しログインするための情報（ＩＰアドレス、ログインユーザ名、パスワード等）が含まれており、他の携帯端末装置１００が当該固有情報を取得したときにＦＴＰサーバを特定しログインできるようになっている。また、本実施形態では、固有情報として、アクセスポイントのＳＳＩＤ（Service Set Identifier）や認証方式なども書き込まれるようになっている。
【００３９】
なお、本実施形態では、ＣＰＵ５が「表示制御手段」の一例に相当し、Ｓ４で説明したように、スタイラスを用いたコピーを行うか否かを選択させるコピー先選択メニュー５３（選択情報）をタッチパネル付き表示器６（表示器）に表示させるように機能している。また、Ｓ３、Ｓ４で説明したように、ＣＰＵ５は、スタイラス３が検出された場合にのみコピー先選択メニュー５３（選択情報）をタッチパネル付き表示器６（表示器）に表示させるように機能している。
【００４０】
また、ＣＰＵ５は、「接触検出手段」の一例に相当し、Ｓ６で説明したように、スタイラス３がタッチパネル６ａに接触しているか否かを検出するように機能する。また、リーダライタとして機能するＣＰＵ５、ＲＦＩＤ制御部２０、アンテナ４０、メモリ９は、スタイラス３がタッチパネル６ａに接触している間のみ当該スタイラス３のＲＦＩＤタグ３ｂに対して書き込み動作を行っている。
【００４１】
Ｓ７の処理後には書き込みが正常に行われたか否かの判断処理が行われ（Ｓ８）、正常に固有情報やデータ特定情報が正常に書き込まれた場合（Ｓ８：Ｙｅｓ）、正常終了ダイアログの表示処理（例えば、「Ｓｕｃｃｅｓｓ！」といった表示）が行われる（Ｓ９）。一方、正常に書き込まれなかった場合（Ｓ８：Ｎｏ）、エラーダイアログの表示処理が行われる（Ｓ１０）。
【００４２】
次に、他の携帯端末装置１００で行われるファイル取得処理について説明する。なお、他の携帯端末装置１００のハードウェア構成は端末本体２と同一であり、図２、図３と同様の構成をなしている。従って、他の携帯端末装置１００のハードウェア構成についての詳細な説明は省略し、必要に応じて適宜図２、図３を参照することとする。
【００４３】
他の携帯端末装置１００で行われるファイル取得処理は、電源投入或いは端末本体２に対して所定操作が行われたときにＣＰＵ５により実行される処理であり、当該処理が開始されると、まず、ファイル貼り付けを指示する操作を待つ待機処理が行われる（Ｓ１０１）。なお、携帯端末装置１００もＯＳとしてＷｉｎｄｏｗｓ（登録商標）ＣＥが搭載されており、図８のように、ファイル管理プログラム（ファイルエクスプローラ）の初期画面において「Ｅｄｉｔ」コマンド１１０が選択されたときに、サブメニュー（コマンド選択メニュー１１１）が表示されるようになっており、このコマンド選択メニュー１１１内の特定コマンド（「Ｐａｓｔｅ」コマンド１１１ａ）が選択された場合にファイル貼り付けを指示する操作があったと判断している。従って、この場合にはＳ１０１にてＹｅｓに進み、Ｓ１０２以降の処理が行われる。なお、ファイルコピー指示する操作はこれに限られず、例えば、図８のような初期画面においてタッチパネル１０６ａをスタイラス３によって長押しする操作であってもよく、この場合にもＳ１０２以降の処理が行われる。
【００４４】
コマンド選択メニュー１１１において「Ｐａｓｔｅ」コマンド１１１ａが選択されたとき、或いは初期画面においてスタイラス３によって長押しされたときには、スタイラス３を検出する処理が行われる（Ｓ１０２）。Ｓ１０２の処理では、他の携帯端末装置１００内のＣＰＵ、ＲＦＩＤ制御部、アンテナ、メモリ（これらの構成は、携帯端末装置１内のＣＰＵ５、ＲＦＩＤ制御部２０、アンテナ４０、メモリ９と同様（図２、図３参照））がリーダライタとして機能し、ＲＦＩＤタグ３ｂを備えたスタイラス３が端末本体２付近に存在するか否かの検出がなされる。Ｓ１０２の処理においてスタイラス３が検出されたときには（Ｓ１０３：Ｙｅｓ）、貼り付け元選択メニュー１１２の表示が行われる（Ｓ１０４）。Ｓ１０４の処理では、図８のようにスタイラスを含んだ複数の貼り付け元が表示され、ユーザはスタイラス３によっていずれかの貼り付け元を選択できるようになっている。
【００４５】
一方、Ｓ１０２の処理においてスタイラス３が検出されない場合には（Ｓ１０３：Ｎｏ）、通常のファイル貼り付け処理（クリップボードにファイルを貼り付ける処理）が行われる（Ｓ１１７）。
【００４６】
Ｓ１０４の処理の後には、どの貼り付け元が選択されたかを判断する処理が行われる（Ｓ１０５）。Ｓ１０４のメニュー表示においてスタイラス以外が選択された場合（図８の例では、クリップボードコマンドが選択された場合）にはＳ１０５からＳ１１７に進み、上述した通常のファイル貼り付け処理が行われる（Ｓ１１７）。一方、Ｓ１０４のメニュー表示においてスタイラスコマンド１１２ａが選択された場合にはＳ１０５からＳ１０６に進む。
【００４７】
Ｓ１０６では、スタイラス３がタッチパネル１０６ａに触れているか否かを判断する処理が行われる。スタイラスコマンド１１２ａ選択後において依然としてスタイラス３がタッチパネル１０６ａに触れている場合にはＳ１０６にてＹｅｓに進み、スタイラス３がタッチパネル１０６ａに触れていない場合にはＳ１０６にてＮｏに進む。Ｓ１０６にてＮｏに進む場合には、リセット状態となりＳ１０１に戻る。なお、Ｓ１０６の判断処理は、スタイラス３が一定時間以上タッチパネル１０６ａから離れた場合にＳ１０６にてＮｏに進むようにしてもよく、スタイラス３が一定時間以上タッチパネル１０６ａに接触している場合にＳ１０６にてＹｅｓに進む（即ち、スタイラス３が一定時間経過前にタッチパネル１０６ａから離れた場合にＮｏに進む）ようにしてもよい。或いは、時間に関係なく、スタイラス３とタッチパネル１０６ａとが非接触状態となったときにＳ１０６にてＮｏに進むようにしてもよい。
【００４８】
Ｓ１０６にてＹｅｓに進む場合、スタイラス３から固有情報（コピー元の携帯端末に関する情報）とデータ特定情報（コピーするファイルに関する情報）とを読み出す処理が行われる（Ｓ１０７）。Ｓ１０７の処理は「読取ステップ」の一例に相当するものであり、上述した「書込ステップ」によりスタイラス３のＲＦＩＤタグ３ｂに記憶された携帯端末装置１の固有情報及びデータ特定情報を、コピー先となる他の携帯端末装置１００のリーダライタ（他の携帯端末装置１００内のＣＰＵ、ＲＦＩＤ制御部、アンテナ、メモリ：図示略）によって読み取るステップとされている。
【００４９】
その後、ＲＦＩＤタグ３ｂから固有情報及びデータ特定情報が正常に読み出されたか否かの判断処理が行われ（Ｓ１０８）、正常に読み出されていない場合には（Ｓ１０８：Ｎｏ）、エラーダイアログ表示処理が行われる（Ｓ１１６）。
【００５０】
一方、ＲＦＩＤタグ３ｂから固有情報及びデータ特定情報が正常に読み出された場合には（Ｓ１０８：Ｙｅｓ）、無線ＬＡＮに接続する処理が行われ（Ｓ１０９）、当該無線ＬＡＮに接続されている端末本体２をＦＴＰサーバとしてログインする処理が行われる（Ｓ１１０）。上述したように、Ｓ１０７の処理によってＦＴＰサーバのＩＰアドレス、ログインユーザ名、パスワード等が取得されているため、他の携帯端末装置１００はこれらの情報に基づいてＦＴＰサーバ（端末本体２）にログインする。
【００５１】
Ｓ１１０のログイン処理後にはファイル取得処理が行われる。この処理では、Ｓ１０７で取得したデータ特定情報を端末本体２に送信し、当該データ特定情報によって特定されるファイルを要求する。
なお、Ｓ１０９〜Ｓ１１１の一連の処理が「要求ステップ」の一例に相当し、上述の「読取ステップ」にて取得された携帯端末装置１の固有情報に基づき、他の携帯端末装置１００において無線通信相手となる携帯端末装置１を特定すると共に、他の携帯端末装置１００から携帯端末装置１に対し、当該他の携帯端末装置１００が取得したデータ特定情報にて特定されるコピー対象データの送信を要求するステップとされている。
【００５２】
端末本体２側では、他の携帯端末装置１００からのデータ特定情報を伴うファイル要求に応じ、当該データ特定情報によって特定されるファイル（コピー対象データ）を検索し、かつ当該ファイルを他の携帯端末装置１００に対して出力する。なお、データ特定情報を伴うファイル要求に応じて行われるこれら一連の処理が「データ出力ステップ」の一例に相当する。
【００５３】
なお、端末本体２のＣＰＵ５は、「データ出力制御手段」の一例に相当し、当該端末本体２の固有情報及びデータ特定情報を取得した他の携帯端末装置１００からのコピー要求を、無線ＬＡＮ制御部８（無線通信手段）を介して取得すると共に、コピー要求と対応付けて他の携帯端末装置１００から送られるデータ特定情報に基づき、当該データ特定情報に対応するファイル（コピー対象データ）を検索し、かつ当該ファイルを他の携帯端末装置１００に対して出力するように機能する。
【００５４】
また、Ｓ１１１の処理は、「記憶ステップ」の一例に相当するものであり、上述の「データ出力ステップ」にて出力されたファイル（コピー対象データ）を、他の携帯端末装置１００のメモリ（図示略）に記憶するステップとされている。
【００５５】
Ｓ１１１の処理後にはＦＴＰサーバ（端末本体２）からログアウトする処理が行われ（Ｓ１１２）、無線ＬＡＮとの接続が切断される（Ｓ１１３）。更に、端末本体２からファイル（コピー対象データ）が正常にコピーできたか否かの判断処理が行われ（Ｓ１１４）、正常にコピーできた場合には（Ｓ１１４：Ｙｅｓ）、正常終了ダイアログの表示処理（例えば、「Ｓｕｃｃｅｓｓ！」といった表示）が行われる（Ｓ１１５）。一方、正常にコピーできなかった場合には（Ｓ１１４：Ｎｏ）、エラーダイアログの表示処理が行われる（Ｓ１１６）。
【００５６】
本実施形態の構成によれば、端末本体２がスタイラス３を迅速に検出でき、当該スタイラス３内に必要なデータを良好に記録できるようになる。更に、スタイラス３のＲＦＩＤタグ３ｂ（無線タグ）内には、コピー先の他の携帯端末装置１００に与えるべき情報として、端末本体２の「固有情報」及び「データ特定情報」が記憶されるため、他の携帯端末装置１００は、スタイラス３を介してこれら情報（端末本体２の固有情報及びデータ特定情報）を取得できるようになる。即ち、複雑な入力操作を数多く行わずとも他の携帯端末装置１００においてコピー元の端末本体２及び当該端末本体２に記憶されるコピー対象データを特定できるようになり、ひいては、端末本体２内の特定データ（データ特定情報によって特定されるコピー対象データ）を他の携帯端末装置１００へ迅速且つ手軽にコピーできるようになる。
【００５７】
また、コピー要求と対応付けて他の携帯端末装置１００から送られる「データ特定情報」に基づき、当該「データ特定情報」に対応するコピー対象データを検索し、かつコピー対象データを他の携帯端末装置１００に対して出力している。このようにすると、他の携帯端末装置１００からの要求に応じてコピー対象データを的確に特定し、当該コピー対象データを他の携帯端末装置１００に対して良好にコピーできる。また、スタイラス３には、「固有情報」と「データ特定情報」とが記憶され、コピー対象データについてはスタイラス３に記憶せずに無線ＬＡＮ制御部８（無線通信手段）によって他の携帯端末装置１００に直接送信しているため、コピー対象データのデータ量が大きい場合、或いはスタイラス３のＲＦＩＤタグ３ｂの容量が小さい場合であってもコピー対象データを他の携帯端末装置１００に良好にコピーできる。
【００５８】
また、「選択情報」（スタイラス３を用いたコピーを行うか否かを選択させる情報）を表示器６に表示する構成をなしており、このようにすれば、使用者がスタイラスを用いたコピーを行うか否かを自由に選択できる。また、「スタイラスを用いたコピー」がＲＦＩＤタグ３ｂを備えたスタイラス３によりタッチパネル６ａにて選択された場合に、端末本体２の「固有情報」及び「データ特定情報」を、当該スタイラス３のＲＦＩＤタグ３ｂに対して記憶している。このようにすると、「スタイラスを用いたコピー」が選択された場合に、タッチパネル６ａ付近にあるスタイラス３に対して「固有情報」及び「データ特定情報」を迅速且つ良好に記憶できるようになる。
【００５９】
また、「スタイラス検出手段」によってＲＦＩＤタグ３ｂを備えたスタイラス３が検出された場合にのみ「選択情報」を表示器６に表示するように構成されている。このようにすると、スタイラス３が検出されない場合（即ち、スタイラス３を用いたコピーを行うことができない場合）に、「スタイラスを用いたコピー」が選択不能となるため、完遂不能な処理の一部が実行されるといった無駄を効果的に防止できる。
【００６０】
また、「データ特定情報」においてコピー対象データのファイル名情報とコピー対象データにアクセスするためのパス情報とが含まれているため、他の携帯端末装置１００から「データ特定情報」を受け取ったときに、パス情報とファイル名情報とに基づいてコピー対象データを迅速かつ正確に特定できる。
【００６１】
また、端末本体２において、スタイラス３がタッチパネル６ａに接触しているか否かを検出する「接触検出手段」が設けられており、スタイラス３がタッチパネル６ａに接触している間のみ当該スタイラス３のＲＦＩＤタグ３ｂに対して書き込み動作を行うように構成されている。このようにすると、スタイラス３が接触しているときに書き込み動作を安定的に行うことができる。
【００６２】
［他の実施形態]
本発明は上記記述及び図面によって説明した実施形態に限定されるものではなく、例えば次のような実施形態も本発明の技術的範囲に含まれる。
【００６３】
上記実施形態では、スタイラス３がタッチパネル６ａに接触している間のみ当該スタイラス３のＲＦＩＤタグ３ｂに対して書き込み動作を行っていたが、このようにせず、ＲＦＩＤタグ３ｂが書き込み可能な位置にあるときにスタイラス３の接触状態に関係なく書き込み動作を行うようにしてもよい。
【００６４】
上記実施形態では、固有情報としてＦＴＰシステムで用いるＩＰアドレス等をＲＦＩＤタグ３ｂに書き込む構成を例示したが、無線通信対象となる端末本体２を特定しアクセスしうる情報であればこれら以外の情報であってもよい。
【００６５】
上記実施形態では、ファイル名情報とパス情報とを有するデータ特定情報を例示したが、データ特定情報の構成はこれに限られず、携帯端末装置１にてデータを特定しうる情報であればよい。例えば、コピー対象データのファイル名情報のみであってもよく、この場合、他の携帯端末装置１００からファイル名が指定されることに応じて携帯端末装置１にてファイル検索を行うようにすれば、コピー対象データを特定できる。
【図面の簡単な説明】
【００６６】
【図１】図１は、第１実施形態に係る携帯端末装置を概略的に例示する外観図である。
【図２】図２は、図１の携帯端末装置の電気的構成を概略的に例示するブロック図である。
【図３】図３は、図２におけるＲＦＩＤ制御部等を概略的に例示するブロック図である。
【図４】図４は、図１の携帯端末装置から他の携帯端末装置にファイルをコピーする様子を説明する説明図である。
【図５】図５は、図１の携帯端末装置で行われる書き込み処理を例示するフローチャートである。
【図６】図６は、他の携帯端末装置で行われるファイル取得処理を例示するフローチャートである。
【図７】図７は、図５の書き込み処理が行われているときの表示画面を例示する説明図である。
【図８】図８は、図６のファイル取得処理が行われているときの表示画面を例示する説明図である。
【符号の説明】
【００６７】
１…携帯端末装置
２…端末本体
３…スタイラス
３ｂ…ＲＦＩＤタグ（無線タグ）
５…ＣＰＵ（スタイラス検出手段、リーダライタ、データ出力制御手段、接触検出手段）
６…表示器
６ａ…タッチパネル
８…無線ＬＡＮ制御部（無線通信手段）
９…メモリ（スタイラス検出手段、リーダライタ）
２０…ＲＦＩＤ制御部（スタイラス検出手段、リーダライタ）
４０…アンテナ（スタイラス検出手段、リーダライタ）
１００…他の携帯端末装置
【図１】
2010081300.tif 000003
【図２】
2010081300.tif 000004
【図３】
2010081300.tif 000005
【図４】
2010081300.tif 000006
【図５】
2010081300.tif 000007
【図６】
2010081300.tif 000008
【図７】
2010081300.tif 000009
【図８】
2010081300.tif 000010